(57)【要約】【課題】低コストでありながら、接地短絡作業における間違った作業順番を確実に防止可能な接地短絡器具及び接地短絡器具の製造方法を提供する。【解決手段】架空電線の接地短絡を行う接地短絡器具１であって、接地金具３０に取付けられ、接地金具３０が接地箇所に接続されると接地金具３０から取外し可能となるインターロックキー５０と、インターロックキー５０とリード線４０、絶縁棒１０、又はアースフック２０のうちのいずれか１つと連結する連結ロープ６０と、を備え、接地金具３０は、インターロックキー５０が取付けられた状態においてのみ、接地箇所に対する接続及び取外し操作を行うことが可能に構成され、連結ロープ６０は、アースフック２０が架空電線に掛止された状態において、接地箇所に接続されている接地金具３０にインターロックキー５０が届かないように、長さ及び連結位置が設定されている。【選択図】図１
2019140800.tif 000002
【特許請求の範囲】
【請求項１】
長尺な絶縁棒と、前記絶縁棒の先端に設けられたアースフックと、リード線を介してアースフックに接続されている接地金具とを備え、架空電線の接地短絡を行う接地短絡器具であって、
前記接地金具に取付けられ、前記接地金具が接地箇所に接続されると前記接地金具から取外し可能となるインターロックキーと、
前記インターロックキーと前記リード線、前記絶縁棒、又は前記アースフックのうちのいずれか１つとを連結する連結ロープと、
を備え、
前記接地金具は、前記インターロックキーが取付けられた状態においてのみ、接地箇所に対する接続及び取外し操作を行うことが可能に構成され、
前記連結ロープは、前記アースフックが架空電線に掛止された状態において、接地箇所に接続されている前記接地金具に前記インターロックキーが届かないように、長さ及び連結位置が設定されていることを特徴とする接地短絡器具。
【請求項２】
前記連結ロープは、前記アースフックが架空電線に掛止された状態において、前記インターロックキーに手が届かないように、長さ及び連結位置が設定されていることを特徴とする請求項１に記載の接地短絡器具。
【請求項３】
さらに、前記リード線、前記絶縁棒、又は前記アースフックのうちのいずれか１つに固定され前記連結ロープを取付可能な固定具を備え、
前記連結ロープは、前記固定具を介して前記リード線、前記絶縁棒、又は前記アースフックに取付可能なことを特徴とする請求項１又は２に記載の接地短絡器具。
【請求項４】
前記連結ロープは、交換可能に、前記インターロックキー及び前記固定具に対し着脱自在であることを特徴とする請求項３に記載の接地短絡器具。
【請求項５】
前記連結ロープは、伸縮部を有することを特徴とする請求項１から４のいずれか１項に記載の接地短絡器具。
【請求項６】
前記インターロックキーは、前記アースフックに一時的に固定可能な仮固定手段を備えることを特徴とする請求項１から５のいずれか１項に記載の接地短絡器具。
【請求項７】
さらに、前記連結ロープに取付けられ前記接地金具、前記インターロックキー、前記連結ロープのうちの少なくとも１つを前記絶縁棒及び／又は前記アースフックに固定可能な固定手段を備えることを特徴とする請求項１から６のいずれか１項に記載の接地短絡器具。
【請求項８】
さらに、前記リード線に取付けられ、前記接地金具を接地箇所に接続した後に前記リード線の一部を接地箇所又は周囲の構造物に固定可能なリード線固定手段を備えることを特徴とする請求項１から７のいずれか１項に記載の接地短絡器具。
【請求項９】
長尺な絶縁棒と、前記絶縁棒の先端に設けられたアースフックと、前記アースフックに接続されたリード線とを備える接地短絡器具において、
前記リード線に接地箇所に接続される接地金具を接続するステップと、
前記リード線、前記絶縁棒、又は前記アースフックのうちのいずれか１つに固定具を取付けるステップと、
前記固定具に連結ロープを取付けるステップと、
前記連結ロープにインターロックキーを取付けるステップと、
を含み、
前記接地金具及び前記インターロックキーは、前記接地金具が前記インターロックキーを取付けた状態においてのみ接地箇所に対する接続及び取外し操作を行うことが可能であるとともに、前記接地金具が前記接地箇所に接続されるまで前記インターロックキーの取外しが阻止されるように構成され、
前記連結ロープは、前記アースフックが架空電線に掛止された状態において、接地箇所に接続されている前記接地金具に前記インターロックキーが届かないように、長さ及び連結位置が設定されていることを特徴とする接地短絡器具の製造方法。
【発明の詳細な説明】
【技術分野】
【０００１】
本発明は、架空電線の接地短絡を行う接地短絡器具及び接地短絡器具の製造方法に関する。
【背景技術】
【０００２】
特別高圧架空送電線路において停電作業を行う場合には、電流の流入を防止するために作業箇所に乙種アースを接続し、接地状態で作業を行う必要がある。乙種アースは、基本的に、鉄塔等の接地箇所に接続する接地金具、接地対象となる架空電線に取付けるアースフック付き絶縁棒、及び接地金具とアースフックとを電気的に接続するリード線を備える。
【０００３】
乙種アースによる接地は、必ず、接地箇所への接地金具の接続を架空電線へのアースフック付き絶縁棒の取付け前に行わなければならない。また接地を解除するときには、必ず、架空電線からアースフック付き絶縁棒を取外した後に、接地金具を接地箇所から取外さなければならない。上記の作業順番を間違えると感電災害が発生する恐れがある。
【０００４】
従来から使用されている乙種アースは、上記の作業順番を間違えたとしても作業自体を行うことが可能であり、このため感電災害が発生する恐れがある。これを防止すべく、間違った順番では接地短絡作業を行うことができないように構成されたインターロック式の乙種アース（接地用具）が提案されている（特許文献１参照）
【０００５】
特許文献１に記載の接地用具は、伸縮式の絶縁棒の伸縮動作を制限するインターロック機構を備え、接地金具を鉄塔等の接地箇所に接続しないと絶縁棒を伸縮することができず、アースフックが架空電線に届かないように構成されており、これによって、間違った順番で接地短絡作業を行うことができないようになっている。
【先行技術文献】
【特許文献】
【０００６】
【特許文献１】特開２００９−７７５９３号公報
【発明の概要】
【発明が解決しようとする課題】
【０００７】
特許文献１に記載の接地用具によれば、間違った順番で接地短絡作業を行うことができず、感電災害を未然に防止することが可能である。しかしながら、特許文献１に記載の接地用具の構成は、既存のアースフック付き絶縁棒、特に、伸縮式ではないアースフック付き絶縁棒に適用することができない。このため特許文献１に記載の接地用具は、既存のアースフック付き絶縁棒と置き換える必要があり、導入コストが高い。
【０００８】
本発明の目的は、低コストで製造可能な、接地短絡作業における間違った作業順番を確実に防止可能な接地短絡器具及び接地短絡器具の製造方法を提供することである。
【課題を解決するための手段】
【０００９】
本発明は、長尺な絶縁棒と、前記絶縁棒の先端に設けられたアースフックと、リード線を介してアースフックに接続されている接地金具とを備え、架空電線の接地短絡を行う接地短絡器具であって、前記接地金具に取付けられ、前記接地金具が接地箇所に接続されると前記接地金具から取外し可能となるインターロックキーと、前記インターロックキーと前記リード線、前記絶縁棒、又は前記アースフックのうちのいずれか１つとを連結する連結ロープと、を備え、前記接地金具は、前記インターロックキーが取付けられた状態においてのみ、接地箇所に対する接続及び取外し操作を行うことが可能に構成され、前記連結ロープは、前記アースフックが架空電線に掛止された状態において、接地箇所に接続されている前記接地金具に前記インターロックキーが届かないように、長さ及び連結位置が設定されていることを特徴とする接地短絡器具である。
【００１０】
また本発明の接地短絡器具において、前記連結ロープは、前記アースフックが架空電線に掛止された状態において、前記インターロックキーに手が届かないように、長さ及び連結位置が設定されていることを特徴とする。
【００１１】
また本発明の接地短絡器具は、さらに、前記リード線、前記絶縁棒、又は前記アースフックのうちのいずれか１つに固定され前記連結ロープを取付可能な固定具を備え、前記連結ロープは、前記固定具を介して前記リード線、前記絶縁棒、又は前記アースフックに取付可能なことを特徴とする。
【００１２】
また本発明の接地短絡器具において、前記連結ロープは、交換可能に、前記インターロックキー及び前記固定具に対し着脱自在であることを特徴とする。
【００１３】
また本発明の接地短絡器具において、前記連結ロープは、伸縮部を有することを特徴とする。
【００１４】
また本発明の接地短絡器具において、前記インターロックキーは、前記アースフックに一時的に固定可能な仮固定手段を備えることを特徴とする。
【００１５】
また本発明の接地短絡器具は、さらに、前記連結ロープに取付けられ前記接地金具、前記インターロックキー、前記連結ロープのうちの少なくとも１つを前記絶縁棒及び／又は前記アースフックに固定可能な固定手段を備えることを特徴とする。
【００１６】
また本発明の接地短絡器具は、さらに、前記リード線に取付けられ、前記接地金具を接地箇所に接続した後に前記リード線の一部を接地箇所又は周囲の構造物に固定可能なリード線固定手段を備えることを特徴とする。
【００１７】
また本発明は、長尺な絶縁棒と、前記絶縁棒の先端に設けられたアースフックと、前記アースフックに接続されたリード線とを備える接地短絡器具において、前記リード線に接地箇所に接続される接地金具を接続するステップと、前記リード線、前記絶縁棒、又は前記アースフックのうちのいずれか１つに固定具を取付けるステップと、前記固定具に連結ロープを取付けるステップと、前記連結ロープにインターロックキーを取付けるステップと、を含み、前記接地金具及び前記インターロックキーは、前記接地金具が前記インターロックキーを取付けた状態においてのみ接地箇所に対する接続及び取外し操作を行うことが可能であるとともに、前記接地金具が前記接地箇所に接続されるまで前記インターロックキーの取外しが阻止されるように構成され、前記連結ロープは、前記アースフックが架空電線に掛止された状態において、接地箇所に接続されている前記接地金具に前記インターロックキーが届かないように、長さ及び連結位置が設定されていることを特徴とする接地短絡器具の製造方法である。
【発明の効果】
【００１８】
本発明の接地短絡器具によれば、アースフックを架空電線の接地対象箇所に掛止した後に接地金具を接地箇所に接続することができず、またアースフックを架空電線の接地対象箇所から取外す前に接地金具を接地箇所から取外すことができないので、接地短絡作業における間違った作業順番を確実に防止可能である。また既存の接地短絡器具（アースフック付き絶縁棒）に対しても後付けによって、簡単に本発明の接地短絡器具を得ることができる。このため低コストでありながら、架空電線の接地短絡作業における間違った作業順番を確実に防止可能な接地短絡器具及び接地短絡器具の製造方法を提供することができる。
【図面の簡単な説明】
【００１９】
【図１】本発明の第１実施形態の接地短絡器具１の構成を示す側面図である。
【図２】図１の接地短絡器具１の携帯時の状態を示す側面図である。
【図３】本発明の第１実施形態の接地短絡器具１のインターロックキー５０が取付けられた状態の接地金具３０の側面図である。
【図４】図３の接地金具３０が接地箇所に接続された状態を示す側面図である。
【図５】図３の接地金具３０の平面図である。
【図６】図３の接地金具３０の正面図である。
【図７】本発明の第１実施形態の接地短絡器具１のインターロックキー５０の平面図である。
【図８】本発明の第１実施形態の接地短絡器具１によって架空電線１０２の接地短絡を行っている状態を示す模式図である。
【図９】本発明の第１実施形態の接地短絡器具１の製造方法を示すフローチャートである。
【図１０】本発明の第２実施形態の接地短絡器具２の構成を示す側面図である。
【図１１】本発明の第３実施形態の接地短絡器具３の構成を示す側面図である。
【発明を実施するための形態】
【００２０】
図１は、本発明の第１実施形態の接地短絡器具１の伸長前の側面図、図２は、図１の接地短絡器具１の携帯時の状態を示す側面図である。図３は、本発明の第１実施形態の接地短絡器具１のインターロックキー５０が取付けられた状態の接地金具３０の側面図、図４は、図３の接地金具３０が接地箇所に接続された状態を示す側面図、図５は、図３の接地金具３０の平面図、図６は、図３の接地金具３０の正面図である。図７は、本発明の第１実施形態の接地短絡器具１のインターロックキー５０の平面図である。図８は、本発明の第１実施形態の接地短絡器具１によって架空電線１０２の接地短絡を行っている状態を示す模式図である。図９は、本発明の第１実施形態の接地短絡器具１の製造方法を示すフローチャートである。なお図８において符号を一部省略している。
【００２１】
第１実施形態の接地短絡器具１は、伸縮式の長尺な絶縁棒１０と、絶縁棒１０の先端に設けられたアースフック２０と、鉄塔等の接地箇所１０１に接続される接地金具３０と、アースフック２０と接地金具３０とを電気的に接続するリード線４０と、を備え、接地金具３０を鉄塔等の接地箇所１０１に接続した状態で絶縁棒１０を操作してアースフック２０を架空電線１０２の接地対象箇所に電気的に接続することで架空電線１０２の接地を行う。なおここまでの構成は、公知のアースフック付き絶縁棒と同様である。
【００２２】
接地短絡器具１はさらに、接地金具３０に取付けられ、接地金具３０が接地箇所１０１に接続されるまで取外すことができないインターロックキー５０と、インターロックキー５０とリード線４０の中間部とを連結し、その間の長さを規定する連結ロープ６０と、連結ロープ６０をリード線４０の中間部に取付けるための固定具７０と、を備える。
【００２３】
また本実施形態の接地短絡器具１の接地金具３０は、インターロックキー５０が取付けられた状態においてのみ、接地箇所１０１に対する接続及び取外し操作を行うことができるように後述するインターロック機構を備えている。
【００２４】
さらに接地短絡器具１は、絶縁棒１０及び／又はアースフック２０に巻付けて接地金具３０、インターロックキー５０、連結ロープ６０のうちの少なくとも１つを固定可能な固定手段であるバンド８０と、接地金具３０を接地箇所１０１に接続した後にリード線４０の一部を接地箇所１０１、又は接地箇所１０１の周囲の構造物、例えば、鉄塔のフレーム１０３等に固定するリード線固定手段であるリード線固定ロープ８５と、を備える。
【００２５】
絶縁棒１０は、絶縁性を有する伸縮式の長尺な棒体であり、先端にアースフック２０が設けられ、基端に把持部１１を有している。絶縁棒１０は、通常、約１．５〜４ｍの範囲で伸縮するが、これに限定されるものではない。また絶縁棒１０は、必ずしも伸縮式でなくてもよい。
【００２６】
アースフック２０は、絶縁棒１０の先端に設けられ、架空電線１０２の接地対象箇所に掛止することで架空電線１０２の接地対象箇所と電気的に接続されるように構成されている。アースフック２０には、リード線４０の一端が電気的に接続されている。またアースフック２０は、例えば、絶縁棒１０を長軸周りに回転させることで開閉するように構成されている。
【００２７】
なお上記のような絶縁棒１０及びアースフック２０の構成は、公知であるため、詳細な説明を省略する。またアースフック２０は、異なる形式のアースフック（図示省略）を使用してもよい。さらにアースフック２０は、図において、絶縁棒１０と一体であるが、例えば、いわゆるツイストロック機構（図示省略）等を介して絶縁棒１０に対し着脱自在な形式のものであってもよい。
【００２８】
接地金具３０は、図３から図６に示すように、Ｃ字形状の本体３１と、締付ボルト３２と、締付ボルト３２と螺合した角ナット３３と、締付ボルト３２及び角ナット３３が本体３１から外れないように支持する支持部材３４とを備え、リード線４０が接続され、これを介してアースフック２０と電気的に接続されたＣクランプ金具であり、接地短絡作業時には、締付ボルト３２によって鉄塔等の接地箇所１０１に締付けて固定される。
【００２９】
締付ボルト３２は、締付ボルト３２に対して長軸周りに回転自在な角ナット３３と螺合された状態で、本体３１及び支持部材３４に通され、角ナット３３が本体３１と支持部材３４との間に挟まれることによって本体３１から外れないように取付けられている。締付ボルト３２を締める、又は緩めるには、後述するインターロックキー５０の切欠５１によって角ナット３３を本体３１（締付ボルト３２）に対して固定する必要がある。
【００３０】
また接地金具３０は、接地金具３０を接地箇所１０１に接続するまで、つまり、接地箇所１０１に対して接地金具３０が動かないように締付ボルト３２によって接地金具３０を締付けるまで、予め取付けられたインターロックキー５０を取外せないようにするインターロック機構を備える。
【００３１】
インターロック機構は、図３、図４に示すように、２つのピン部材である第１ピン部材９１及び第２ピン部材９２と、第１ピン部材９１と第２ピン部材９２とを連結する平板部材９３と、平板部材９３を付勢する圧縮バネ９４とを備え、接地金具３０の本体３１に組み込まれている。
【００３２】
第１ピン部材９１は、インターロックキー５０を接地金具３０に取付けたときに、後述するインターロックキー５０の第１孔５２に嵌り、インターロックキー５０の取外しを阻止する。第２ピン部材９２は、接地金具３０が接地箇所１０１に接続されたときに押込まれるように、締付ボルト３２と同軸上に配置される。
【００３３】
平板部材９３は、第１ピン部材９１の下端と第２ピン部材９２の中間部とに固定され、第１ピン部材９１と第２ピン部材９２とを連結するとともに、図３、図４における下面が圧縮バネ９４の受圧面となる。圧縮バネ９４は、第１ピン部材９１がインターロックキー５０の第１孔５２から抜けないように、インターロック機構全体を締付ボルト３２側に付勢すべく、平板部材９３の下側において第２ピン部材９２に取付けられている。
【００３４】
また締付ボルト３２の先端部には、円板状の締付部材３７が長軸周りに回転自在に取付けられており、締付部材３７によって第２ピン部材９２が押込まれないように、締付部材３７には、第２ピン部材９２が嵌り込む凹部３８が設けられている。
【００３５】
このように構成される接地金具３０によれば、接地金具３０を鉄塔等の接地箇所１０１に接続するまで、圧縮バネ９４の作用によって第１ピン部材９１が突出してインターロックキー５０の第１孔５２に嵌り、インターロックキー５０の取外しが阻止される。接地金具３０を接地箇所１０１に接続すると、締付ボルト３２の締付力によって接地箇所１０１の部材を介して第２ピン部材９２が押込まれ、これに連動して第１ピン部材９１がインターロックキー５０の第１孔５２から外れ、インターロックキー５０の取外しが可能となる。
【００３６】
なおインターロック機構は、上記の構成に限定されるものではなく、接地金具３０を接地箇所１０１に接続するまで、つまり、接地箇所１０１に対して接地金具３０が動かないように締付ボルト３２によって接地金具３０を締付けるまでインターロックキー５０を取外せないように構成されていればよい。例えば、第１ピン部材９１、第２ピン部材９２、及び平板部材９３は、一体的に形成されていてもよい。
【００３７】
リード線４０は、アースフック２０と接地金具３０とを連結し電気的に接続する。これによって架空電線１０２の接地時には、架空電線１０２を流れる電流が、アースフック２０、リード線４０、接地金具３０、接地金具３０が接続された鉄塔等の接地箇所１０１を通って地絡する。
【００３８】
インターロックキー５０は、切欠５１、第１孔５２及び第２孔５３が形成された平板部材である。インターロックキー５０は、切欠５１に角ナット３３が嵌るとともに、第１孔５２が接地金具３０のインターロック機構の第１ピン部材９１に嵌るように、切欠５１が設けられた先端部を接地金具３０の本体３１と支持部材３４との間に挿入して接地金具３０に取付けられる。
【００３９】
切欠５１は、インターロックキー５０を接地金具３０に取付けたときに、角ナット３３を固定する（回転を阻止する）ように角ナット３３の外形に合致する形状で設けられている。なお切欠５１及び角ナット３３は、平面視において矩形である必要はなく、それぞれ、切欠５１によって角ナット３３を固定可能な形状であればよい。
【００４０】
第１孔５２は、インターロックキー５０を接地金具３０に取付けたときに、第１ピン部材９１が、がたつくことなく嵌る位置、大きさに穿設されている。第２孔５３は、後述する連結ロープ６０の一端に設けられた第１取付具６１を取付可能に穿設されている。
【００４１】
またインターロックキー５０はさらに、アースフック２０に一時的に固定可能な仮固定手段である磁石５５を備えている（図７参照）。インターロックキー５０は、接地金具３０から取外された後、作業の邪魔にならないように磁石５５を介してアースフック２０に一時的に固定されていることが好ましい。このとき切欠５１が、アースフック２０のリード線４０の接続部に嵌り込むことができるように形成されていると、より安定的にインターロックキー５０をアースフック２０に固定可能となる。
【００４２】
連結ロープ６０は、インターロックキー５０に着脱自在に取付可能な第１取付具６１を一端に備え、他端にリード線４０に取付けられた後述する固定具７０に着脱自在に取付可能な第２取付具６２を備え、第１取付具６１及び第２取付具６２を介してインターロックキー５０を固定具７０（リード線４０の中間部）に連結する。なお第１取付具６１及び第２取付具６２は、連結ロープ６０の両端にある必要はなく、連結ロープ６０の中間部にあってもよい。
【００４３】
連結ロープ６０は、アースフック２０（及び絶縁棒１０）を架空電線１０２に掛止させた状態において、少なくともインターロックキー５０が接地金具３０に届かないように、より好ましくは、インターロックキー５０に手が届かないように、さらに好ましくは、絶縁棒１０を伸長した状態において、絶縁棒１０の把持部１１を把持しながらインターロックキー５０に手が届かないように、長さ、並びにインターロックキー５０及びリード線４０に対する取付位置（第１取付具６１及び第２取付具６２の位置）が設定されている。
【００４４】
第１取付具６１及び第２取付具６２を介して連結ロープ６０をインターロックキー５０及び固定具７０に対して着脱自在にすることで、長さの異なる連結ロープ６０を適宜、交換して使用することが可能になる。なお第１取付具６１及び第２取付具６２は、特定の構造のものに限定されるものではない。また連結ロープ６０を交換する必要性が低い場合には、第１取付具６１及び第２取付具６２を用いることなく、直接、連結ロープ６０の両端をインターロックキー５０及び固定具７０に取付けてもよい。
【００４５】
また連結ロープ６０は、弾性によってある程度、伸縮自在なコイル状の伸縮部６３が中間部に設けられている。連結ロープ６０は、上記のように、長さ、並びにインターロックキー５０及びリード線４０（固定具７０）に対する取付位置が設定されており、通常、インターロックキー５０とリード線４０（固定具７０）との間の長さが比較的短くなる。このため接地金具３０を接地箇所１０１に接続するときに作業性が低下する場合があるが、伸縮部６３を設けることによって、この問題を解決することができる。なお伸縮部６３は、必ずしも設けられていなくてもよい。
【００４６】
固定具７０は、ペンチ等でかしめることによって、リード線４０の中間部に後付可能な金具であり、連結ロープ６０の第２取付具６２を取付可能に取付孔を有し、本実施形態の接地短絡器具１では、リード線４０のアースフック２０の近傍に取付けられている。
【００４７】
固定具７０は、上記のように、少なくともアースフック２０（及び絶縁棒１０）を架空電線１０２に掛止させた状態でインターロックキー５０が接地金具３０に届かないように、連結ロープ６０のリード線４０に対する取付位置を規定する。なお固定具７０は、特定の構造に限定されるものではなく、リード線４０の中間部に後付可能であるとともに、連結ロープ６０（第２取付具６２）を取付可能であればよい。
【００４８】
バンド８０は、絶縁棒１０及び／又はアースフック２０に巻付けられた状態で固定可能に面ファスナー８１を備え、連結ロープ６０に取付けられている。バンド８０は、接地金具３０及び／又は連結ロープ６０を絶縁棒１０及び／又はアースフック２０に巻付けて固定することで、接地短絡器具１の携帯時や誤って接地金具３０を接地箇所１０１に接続する前に絶縁棒１０を伸長させたときに、接地金具３０が揺動することを防止する。
【００４９】
またバンド８０は、インターロックキー５０を接地金具３０から取外し、アースフック２０に一時的に固定するときにインターロックキー５０の脱落を防止するために、インターロックキー５０及び／又は連結ロープ６０を絶縁棒１０及び／又はアースフック２０に巻付けて固定する。
【００５０】
なおバンド８０の連結ロープ６０における取付位置は、特定の位置に限定されるものではないが、作業性を考慮すると接地金具３０に近い位置であることが好ましい。
【００５１】
リード線固定ロープ８５は、接地金具３０を接地箇所１０１に接続した後にリード線４０の一部を接地箇所１０１の周囲の構造物、例えば、鉄塔のフレーム１０３等に固縛可能なロープであり、リード線４０に取付けられている。リード線固定ロープ８５のリード線４０における取付位置は、特定の位置に限定されるものではないが、作業性を考慮すると接地金具３０に近い位置であることが好ましい。
【００５２】
リード線固定ロープ８５は、特定の材質のものに限定されるものではない。またリード線固定ロープ８５は、ロープに代えて、バンド８０のような面ファスナを有するバンドとしてもよい。
【００５３】
次に本実施形態の接地短絡器具１の製造方法の一例を説明する。本実施形態の接地短絡器具１は、リード線４０が接続されたアースフック２０を先端に有する、アースフック付きの絶縁棒１０に、インターロック機構を有する接地金具３０、インターロックキー５０、連結ロープ６０、固定具７０、バンド８０、リード線固定ロープ８５を取付けることによって製造される。
【００５４】
まず、リード線４０が接続されたアースフック２０を先端に有する、アースフック付きの絶縁棒１０を用意し（ステップＳ０）、リード線４０のアースフック２０に接続されていない方の一端にインターロック機構を有する接地金具３０を接続する（ステップＳ１）。なお該接続は、着脱自在であってもよく、着脱不能であってもよい。また元々、接地金具を有しているアースフック付き絶縁棒に適用する場合には、元の接地金具をリード線から取外し、インターロック機構を有する接地金具３０をリード線に接続すればよい。
【００５５】
次にリード線４０の中間部、本実施形態の接地短絡器具１ではアースフック２０の近傍に、固定具７０をかしめ等によって固定する（ステップＳ２）。作業性等を考慮すると、アースフック２０の先端から約５００ｍｍの位置が好ましい。なお固定具７０も、リード線４０に対し着脱自在であってもよく、着脱不能であってもよい。
【００５６】
次に連結ロープ６０の中間部、本実施形態の接地短絡器具１では接地金具３０の近傍にに、バンド８０を取付ける（ステップＳ３）。また第１取付具６２を介して連結ロープ６０にインターロックキー５０を取付ける（ステップＳ４）。なおインターロックキー５０の取付けは、連結ロープ６０を容易に交換可能に、着脱自在であることが好ましいが、着脱不能であってもよい。
【００５７】
また連結ロープ６０は、絶縁棒１０の長さ、固定具７０の取付位置に応じて、上記のように、アースフック２０（及び絶縁棒１０）を架空電線１０２に掛止させた状態において、少なくともインターロックキー５０が接地金具３０に届かない、より好ましくは、インターロックキー５０に手が届かない、さらに好ましくは、絶縁棒１０を伸長した状態において、絶縁棒１０の把持部１１を把持しながらインターロックキー５０に手が届かない長さのものが用いられる。
【００５８】
次に第２取付具６２を介して、連結ロープ６０を固定具７０に取付ける（ステップＳ５）。なお連結ロープ６０の固定具７０への取付けは、連結ロープ６０を容易に交換可能に、着脱自在であることが好ましいが、着脱不能であってもよい。
【００５９】
次にリード線固定ロープ８５をリード線４０の中間部、本実施形態の接地短絡器具１では接地金具３０の近傍に取付ける（ステップＳ６）。なおリード線固定ロープ８５の取付けは、着脱自在であってもよく、着脱不能であってもよい。
【００６０】
なおステップＳ１からステップＳ６の順番は、適宜、入替えてもよい。
【００６１】
次に本実施形態の接地短絡器具１を使用する、架空電線１０２の接地短絡方法について説明する。接地短絡器具１を鉄塔等における接地短絡作業位置まで携帯するときには、バンド８０及びリード線固定ロープ８５を巻付けて接地金具３０を絶縁棒１０に固定し（図２参照）、例えば、絶縁棒１０に取付けられた肩バンド（図示省略）を肩に掛けて持ち運ぶ。
【００６２】
なおインターロックキー５０は、予め、接地金具３０に取付けられている。具体的には、インターロックキー５０の切欠５１が接地金具３０の角ナット３３に嵌り、インターロックキー５０の第１孔５２に接地金具３０の第１ピン部材９１が嵌るように、インターロックキー５０が、接地金具３０に取付けられている。
【００６３】
上記のように、及び後述するように、接地短絡作業が完了し、接地金具３０を接地箇所１０１から取外すときには必ずインターロックキー５０が接地金具３０に取付けられるので、接地短絡作業前には意識せずとも、インターロックキー５０が、予め、接地金具３０に取付けられることになる。
【００６４】
接地短絡作業位置に到着すると、バンド８０及びリード線固定ロープ８５を解き、接地金具３０を鉄塔等の接地箇所１０１に接続する。架空電線１０２を接地する際には、まず、接地金具３０を接地箇所１０１に接続し、次いで、アースフック２０を架空電線１０２と電気的に接続する必要がある。接地金具３０を接地箇所１０１に接続するときには、接地箇所１０１を接地金具３０の締付ボルト３２及び第２ピン部材９２で挟み込む位置に挿入し、締付ボルト３２によって締付ける。
【００６５】
接地箇所１０１を締付ボルト３２で締付けると、第２ピン部材９２が接地箇所１０１によって押込まれ、これに連動して第１ピン部材９１がインターロックキー５０の第１孔５１から外れ、インターロックキー５０が接地金具３０から取外し可能となる。
【００６６】
なお接地金具３０を接地箇所１０１に接続する前に、アースフック２０を架空電線１０２の接地対象箇所に掛止しようとして絶縁棒１０を伸長させると、接地金具３０が、バンド８０及び／又はリード線固定ロープ８５によって絶縁棒１０に固定された状態、あるいは絶縁棒１０（連結ロープ６０）からぶら下がった状態となる。作業者は、絶縁棒１０に接地金具３０がぶら下がった状態でアースフック２０を架空電線１０２の接地対象箇所に掛止させてしまうと、後から接地金具３０を接地箇所１０１に取付けることができないことを直ちに理解することができるので、作業順番を間違えていることに直ちに気付くことができる。
【００６７】
インターロックキー５０を接地金具３０から取外すとともに、接地箇所１０１の近傍において、リード線固定ロープ８５を使用してリード線４０を鉄塔等のフレーム１０３に固縛する（図８参照）。これによって、作業者や絶縁棒１０がリード線４０に引掛かることが防止され、また作業者等がリード線４０に引掛かった場合でも接地金具３０が接地箇所１０１から外れることが防止される。
【００６８】
次に接地金具３０から取外したインターロックキー５０を磁石５５を介してアースフック２０に固定し、さらに脱落防止のためにバンド８０によって固縛する（図８参照）。その後、絶縁棒１０を伸長し、アースフック２０（及び操作棒１０）を架空電線１０２の接地対象箇所に掛止させ、架空電線１０２を接地する（図８参照）。
【００６９】
架空電線１０２の接地を解除する際には、まず、アースフック２０（及び絶縁棒１０）を架空電線１０２から取外し、次いで、接地金具３０を接地箇所１０１から取外す必要がある。本実施形態の接地短絡器具１では、接地金具３０の取外し操作に必要なインターロックキー５０が、少なくとも接地箇所１０１に接続された接地金具３０に届かない位置にあるので、アースフック２０を架空電線１０２から取外す前に接地金具３０を接地箇所１０１から取外すことができず、これによって、作業順番の間違いが発生する余地がない。
【００７０】
アースフック２０を架空電線１０２から取外し、絶縁棒１０を収縮させ、インターロックキー５０をアースフック２０から取外して接地金具３０に取付け、接地金具３０を接地箇所１０１から取外し、リード線固定ロープ８５によるリード線４０の固縛を解除し、バンド８０及びリード線固定ロープ８５を巻付けて接地金具３０を絶縁棒１０に固定すると、接地短絡器具１が接地短絡作業前の状態に戻る。
【００７１】
以上のように、本実施形態の接地短絡器具１によれば、アースフック２０（及び絶縁棒１０）を架空電線１０２に掛止させた状態において、少なくともインターロックキー５０が接地金具３０に届かない、より好ましくは、インターロックキー５０に手が届かない、さらに好ましくは、絶縁棒１０を伸長した状態において、絶縁棒１０の把持部１１を把持しながらインターロックキー５０に手が届かないので、アースフック２０を架空電線１０２の接地対象箇所に掛止した後に接地金具３０を接地箇所１０１に接続することができない。
【００７２】
また接地金具３０を接地箇所１０１に接続する前に、アースフック２０を架空電線１０２の接地対象箇所に掛止しようとして絶縁棒１０を伸長させると、接地金具３０が、バンド８０及び／又はリード線固定ロープ８５によって絶縁棒１０に固定された状態、あるいは絶縁棒１０（連結ロープ６０）からぶら下がった状態となり、作業者がこれに気付くことで、作業順番を間違えていることに気付くことができる。
【００７３】
これによって、接地金具３０を接地箇所１０１に接続する前にアースフック２０（絶縁棒１０）を架空電線１０２に掛止する、間違った作業順番を確実に防止することができる。
【００７４】
また本実施形態の接地短絡器具１によれば、アースフック２０（及び絶縁棒１０）を架空電線１０２に掛止させた状態において、インターロックキー５０が接地金具３０に届かず、また絶縁棒１０を伸長した状態において、絶縁棒１０の把持部１１を把持しながらインターロックキー５０に手が届かず、さらに接地金具３０は、インターロックキー５０が取付けられていないと、接地箇所１０１から取外すことができない。これによって、アースフック２０を架空電線１０２の接地対象箇所から取外す前に接地金具３０を接地箇所１０１から取外す、間違った作業順番を確実に防止することができる。
【００７５】
つまり、本実施形態に接地短絡器具１によれば、接地金具３０を接地箇所１０１に接続する前にアースフック２０（絶縁棒１０）を架空電線１０２に掛止すること、及びアースフック２０を架空電線１０２の接地対象箇所から取外す前に接地金具３０を接地箇所１０１から取外すことを確実に防止可能であり、ヒューマンエラーによる災害を防ぐことができる。
【００７６】
また本実施形態の接地短絡器具１及びその製造方法によれば、インターロック機構を有する接地金具３０、インターロックキー５０、連結ロープ６０、固定具７０、バンド８０、及びリード線固定ロープ８５を後付けすることによって、一般的な既存のアースフック付き絶縁棒に容易に適用可能なので、導入コストを大幅に削減することができる。また既存のアースフック付き絶縁棒をベースとして構成することができるので、不慣れ等による作業性の低下が生じない。
【００７７】
図１０は、本発明の第２実施形態の接地短絡器具２の構成を示す側面図である。図１から図９に示す第１実施形態の接地短絡器具１と同一の構成には同一の符号を付して説明を省略する。第２実施形態の接地短絡器具２は、第１実施形態の接地短絡器具１と基本的構成は同じであるが、固定具７０が絶縁棒１０の先端近傍に取付けられている。
【００７８】
図１１は、本発明の第３実施形態の接地短絡器具３の構成を示す側面図である。図１から図９に示す第１実施形態の接地短絡器具１と同一の構成には同一の符号を付して説明を省略する。第３実施形態の接地短絡器具３は、第１実施形態の接地短絡器具１と基本的構成は同じであるが、固定具７２がアースフック２０に取付けられている。
【００７９】
本実施形態の接地短絡器具３の固定具７２は、連結ロープ６０の第２取付具６２を取付可能な取付孔を有する平板部材であり、アースフック２０の頂部に固定されている。固定部材７２の固定方法は、特定の方法に限定されるものではなく、例えば、接合等、適宜最適な方法とすればよい。
【００８０】
第２、第３実施形態の接地短絡器具２、３のように、固定具７０（連結ロープ６０の一端）は、リード線４０ではなく、操作棒１０、アースフック２０に取付けられていてもよい。
【００８１】
以上、第１から第３実施形態の接地短絡器具１、２、３を用いて、本発明の接地短絡器具及び接地短絡器具の製造方法を説明したが、本発明の接地短絡器具及び接地短絡器具の製造方法は、上記実施形態に限定されるものではなく要旨を変更しない範囲で変形することができる。例えば、本発明の接地短絡器具及び接地短絡器具の製造方法において、連結ロープ６０を直接、インターロックキー５０と、リード線４０、絶縁棒１０又はアースフック２０とに取付けてもよく、この場合、固定具７０、連結ロープ６０の第１取付具６１及び第２取付具６２は、不要である。
【００８２】
また本発明の接地短絡器具及び接地短絡器具の製造方法において、インターロックキー５０のアースフックへの仮固定手段は、磁石５５に限定されるものではなく、面ファスナやフック等の掛止具、係合具、嵌合具、一時的な接着手段、その他の公知の仮固定手段を用いることができる。
【００８３】
また本発明の接地短絡器具及び接地短絡器具の製造方法において、接地金具３０、リード線４０、連結ロープ６０の固縛等が不要な場合、接地短絡器具は、必ずしもバンド８０及びリード線固定ロープ８５を有しなくてもよい。
【００８４】
また連結ロープ６０に取付けられ接地金具３０、インターロックキー５０及び／又は連結ロープ６０を絶縁棒１０及び／又はアースフック２０に固定可能な固定手段は、バンド８０に限定されるものではなく、例えば、ロープや係合具、嵌合具等であってもよい。さらにリード線４０に取付けられ、接地金具３０を接地箇所１０１に接続した後にリード線４０の一部を周囲の構造物に固定可能なリード線固定手段についても同様に、リード線固定ロープ８５に限定されるものではない。
【００８５】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００８６】
１、２、３  接地短絡器具
１０  絶縁棒
１１  把持部
２０  アースフック
３０  接地金具
４０  リード線
５０  インターロックキー
５５  磁石
６０  連結ロープ
６３  伸縮部
７０、７２  固定具
８０  バンド
８５  リード線固定ロープ
１０１  接地箇所
１０２  架空電線
１０３  フレーム
【図１】
2019140800.tif 000003
【図２】
2019140800.tif 000004
【図３】
2019140800.tif 000005
【図４】
2019140800.tif 000006
【図５】
2019140800.tif 000007
【図６】
2019140800.tif 000008
【図７】
2019140800.tif 000009
【図８】
2019140800.tif 000010
【図９】
2019140800.tif 000011
【図１０】
2019140800.tif 000012
【図１１】
2019140800.tif 000013